(57)【特許請求の範囲】
【請求項１】
外観がフィギア形状をなす中空状本体と、
この中空状本体の下部内周に形成され、ペットボトルの飲み口部周囲の雄ねじ部に対応する雌ねじ部と、
この雌ねじ部よりも上方において中空状本体の周囲に形成されたコイン投入口と、
を備えることを特徴とする貯金箱。
【請求項２】
前記雌ねじ部に着脱可能な底体を備えることを特徴とする請求項１に記載の貯金箱。
【請求項３】
前記コイン投入口の両側に、投入されるコインに接触して動く腕部材を備えることを特徴とする請求項１または２に記載の貯金箱。
【請求項４】
前記中空状本体の上部には、前記コイン投入口へのコインの投入に連動する可動部材を備えることを特徴とする請求項１から３のいずれか一項に記載の貯金箱。
【発明の詳細な説明】
【技術分野】
【０００１】
本発明は、ペットボトルに装着可能な貯金箱に関する。
【背景技術】
【０００２】
使用済みのペットボトルを貯金箱として有効に再利用できるようにするため、ペットボトルのキャップの上部平面に、コイン投入口を設け、かつマスコットキャラクタを取り付けたキャップ、及びペットボトル貯金箱が提案されている（特許文献１参照）。
【特許文献１】実用新案登録第３１０８５５１号明細書
【発明の開示】
【発明が解決しようとする課題】
【０００３】
しかし、特許文献１のキャップ、及びペットボトル貯金箱は、ペットボトルキャップの上部平面にマスコットフィギアが載ったものであり、あくまでもペットボトルキャップが存在する外観を呈するものとなっている。
そして、貯金箱としてペットボトルキャップの上部平面にコイン投入口を設ける関係から、その上に取り付けるマスコットフィギアは小さなものとならざるを得ず、外観デザイン上、ペットボトルキャップが表れることと併せ、ペットボトルとマスコットフィギアとの一体感に乏しいものである。
また、特許文献１のペットボトル用キャップは、単独では貯金箱として使用できないものである。
なお、従来のペットボトルは飲み口部の内径が約２０ｍｍと小さいものであり、１円玉しか貯金できなかった。
【０００４】
本発明の課題は、ペットボトルとフィギアとの一体感に優れた外観デザインを呈し、また、フィギア単独としても使用できる貯金箱を提供することである。
【課題を解決するための手段】
【０００５】
以上の課題を解決するため、請求項１に記載の発明は、例えば図１から図５に示すように、外観がフィギア形状をなす中空状本体１と、この中空状本体１の下部内周に形成され、ペットボトルＰの飲み口部周囲の雄ねじ部に対応する雌ねじ部１４と、この雌ねじ部１４よりも上方において中空状本体１の周囲に形成されたコイン投入口１１と、を備える貯金箱を特徴とする。
【０００６】
請求項１に記載の発明によれば、外観がフィギア形状をなす中空状本体１の下部内周の雌ねじ部１４を、ペットボトルＰの飲み口部周囲の雄ねじ部にねじ込むことで、コイン投入口１１を有するフィギアがペットボトルＰ上に一体化された貯金箱となる。つまり、ペットボトルとフィギアとの一体感に優れた外観デザインを具備する貯金箱が得られる。
【０００７】
請求項２に記載の発明は、請求項１に記載の貯金箱であって、例えば図２、図４及び図５に示すように、前記雌ねじ部１４に着脱可能な底体２を備えることを特徴とする。
【０００８】
請求項２に記載の発明によれば、雌ねじ部１４に底体２を装着することで、フィギア単独でも貯金箱となる。
【０００９】
請求項３に記載の発明は、請求項１または２に記載の貯金箱であって、例えば図１から図５に示すように、前記コイン投入口１１の両側に、投入されるコインＣに接触して動く腕部材１２を備えることを特徴とする。
【００１０】
請求項３に記載の発明によれば、フィギアのコイン投入口１１にコインＣを投入すると、コイン投入口１１の両側において、コインＣに接触して腕部材１２が動くので、見て楽しめる。
【００１１】
請求項４に記載の発明は、請求項１から３のいずれか一項に記載の貯金箱であって、例えば図１から図５に示すように、前記中空状本体１の上部には、前記コイン投入口１１へのコインＣの投入に連動する可動部材１３を備えることを特徴とする。
【００１２】
請求項４に記載の発明によれば、フィギアのコイン投入口１１にコインＣを投入すると、フィギアの上部において、コインＣの投入に連動して可動部材１３が動くので、見て楽しめる。
【発明の効果】
【００１３】
本発明によれば、コイン投入口を有するフィギアがペットボトル上に一体化されるため、外観デザイン上、ペットボトルとフィギアとの一体感に優れた貯金箱を提供できる。
また、底体を装着すれば、フィギア単独でも貯金箱として使用できる。
さらに、コイン投入時において、コイン投入口の両側で腕部材が動いたり、フィギアの上部で可動部材が動いたりするようにすれば、見て楽しめるものとなる。
【発明を実施するための最良の形態】
【００１４】
以下、図を参照して本発明を実施するための最良の形態を詳細に説明する。
（実施形態１）
図１及び図２は本発明を適用した実施形態１の構成を示すもので、１は外観がフィギア形状をなす中空状本体、１ａは本体下部材、１ｂは本体上部材、１０は脚部、１１はコイン投入口、１２は腕部材、１３は耳部材（可動部材）、１４は雌ねじ部、１５はピン部、１６はレバー部材、１７は中枠部材、１８は駒部材、２は底体、３は底蓋である。
【００１５】
中空状本体１は、合成樹脂製の本体下部材１ａ及び本体上部材１ｂを合体して、全体として外観がフィギア形状をなすもので、例えば図示例では犬をモチーフとしたフィギア貯金箱である。
すなわち、本体下部材１ａは、犬の胴体部を構成する略円柱状のもので下部に左右の脚部（後脚部）１０を一体に備えている。この本体下部材１ａの上部には、本体上部材１ｂとの合体部分に沿って形成した、犬の口に相当するコイン投入口１１が開口し、このコイン投入口１１の両側に位置する腕部材（あるいは前脚部材）１２が組み付けられている。
そして、本体上部材１ｂは、犬の口から上の顔部及び頭部を構成する略半球状のもので、この本体上部材１ｂの上部には、可動部材として、左右一対の耳部材１３が組み付けられている。
また、本体下部材１ａの内部には、ペットボトルＰ（図３参照）の飲み口部（図示では内径が約３０ｍｍの広口タイプ）周囲の雄ねじ部（図略）に対応する雌ねじ部１４（図４参照）が形成されている。
【００１６】
図４は詳細構造を示したもので、コイン投入口１１の両側に位置する腕部材１２は本体下部材１ａの上部に組み付けられている。
腕部材１２は、前部左右に手（あるいは前足）１２ａを有する一体円弧形状で若干の弾性変形が可能な合成樹脂製のものであり、本体下部材１ａの後部中央上に形成したピン部１５が貫通して、本体上部材１ｂとの合体部分に沿って装着されている。この腕部材１２は、コイン投入口１１の両側に位置する左右の前端部１２ｂにコイン（１円玉から５百円玉までのコイン）Ｃが接触することで、弾性変形して外側に若干開くように動く。なお、実施形態において、手１２ａは腕部材１２とは別の色に着色されている。
【００１７】
そして、本体下部材１ａの上部には、コイン投入口１１の中央部に位置するレバー部材１６が組み付けられている。
すなわち、本体下部材１ａの上面部に形成された開口部に、前面を平坦部１６ａに形成して上面をカム部１６ｂに形成したレバー部材１６が配設されている。レバー部材１６は合成樹脂製で、平坦部１６ａ及びカム部１６ｂが交差する角部の左右に突設した支軸部１６ｃを、本体下部材１ａの上面部に形成された軸受部に載せて支持されている。
このレバー部材１６は、コイン投入口１１の中央部に位置する平坦部１６ａにコインＣが接触して押されることで回動し、カム部１６ｂが後述する駒部材１８を徐々に押し上げていく。
【００１８】
また、本体上部材１ｂ内には中枠部材１７が組み付けられている。中枠部材１７は、左右一対の駒部材１８を保持するとともに、前述した左右一対の耳部材１３を保持するものである。
すなわち、中枠部材１７は、合成樹脂製の前板及び後板を中央上部でビスＢ１により合体したもので、前板及び後板間に略直角三角形状をなす左右一対の駒部材１８を支軸部１７ａにより支持している。左右一対の駒部材１８は合成樹脂製で、図３（ａ）に示すように、互いの直角部を下にして当接し合っている。
中枠部材１７は、本体上部材１ｂ内に形成した左右の合体用ボス部間に沿って組み込まれている。そして、中枠部材１７は、その上部の左右に形成した前後対をなす軸受部１７ｂが、本体上部材１ｂの上部左右に形成された開口から上方に突出する。
【００１９】
この中枠部材１の左右それぞれの軸受部１７ｂ間には耳部材１３が支軸部１３ａで支持されている。
耳部材１３は合成樹脂製で、本体上部材１ｂの内方に突出して駒部材１８の斜面に当接する延出片１３ｂを有している。
以上の各部材を組み付けた本体上部材１ｂの下部内に本体下部材１ａの上部を嵌め合わせて、左右の合体用ボス部にビスＢ２を締め付けることで、図示例では、外観が犬のフィギア形状をなす中空状本体１が構成される。
【００２０】
そして、中空状本体１には、その雌ねじ部１４内に筒状の底体２が組み付けられる。
すなわち、底体２は合成樹脂製で、図２に示しように、その筒状部の外周上部に、雌ねじ部１４に対応する突条部２１が形成されて、内周下部には、下端の突条部２２とその上方に離間した突条部２３が形成されている。これら突条部２１・２２・２３はそれぞれ直径方向に対応して一対ずつ設けられている。
さらに、底体２内周の突条部２２・２３間に底蓋３が組み付けられている。底蓋３は合成樹脂製で、その外周に突条部２２・２３間に位置する突片３１が形成されている。この突片３１は直径方向に対応して一対設けられている。
【００２１】
以上の構成によるフィギア貯金箱は、図４に仮想線で示すように、コインＣをコイン投入口１１に投入すると、図５に示したように、フィギアの口に当たるコイン投入口１１の両側において、コインＣが前端部１２ｂに接触して腕部材１２が弾性変形し、左右の手１２ａが若干横に広がるように動くので、見て楽しめる。
同時に、コイン投入口１１内の中央に位置するレバー部材１６の平坦部１６ａにコインＣが接触して、レバー部材１６が支軸部１６ｃを支点に回動し、カム部１６ｂが上方に移動して、カム部１６ｂが接触する左右一対の駒部材１８が支軸部１７ａを支点に持ち上げられるように回動する。これにより、駒部材１８に延出片１３ｂが接触する左右の耳部材１３が支軸部１３ａを支点に回動し、フィギアの頭部において、コインＣの投入に連動して左右の耳部材１３も横から上に広がるように動くので、見て楽しめる。
【００２２】
図３は以上のフィギア貯金箱をペットボトルＰに装着した状態を示したもので、予め底体２及び底蓋３を取り外しておいて、中空状本体１を雌ねじ部１４でペットボトルＰの飲み口部周囲の雄ねじ部にねじ込んで装着する。
この結果、コイン投入口１１を有するフィギア（中空状本体１）がペットボトルＰ上に一体化されたものとなり、外観デザイン上、従来のようなペットボトル用キャップが存在せず、ペットボトルＰとフィギアとの一体感に優れた貯金箱を提供できるものとなる。
しかも、飲み口部が内径約３０ｍｍと広口タイプのペットボトルＰに対応したフィギア貯金箱なので、１円玉から５百円玉まで貯金できる。
また、コイン投入口１１を有するフィギア（中空状本体１）に底体２及び底蓋３を装着すれば、フィギア単独でも貯金箱として使用できるものとなる。
【００２３】
（実施形態２）
図６は本発明を適用した実施形態２の構成を示すもので、４は外観がフィギア形状をなす中空状本体、４ａは本体下部材、４ｂは本体上部材、４１はコイン投入口、４２は腕部材、４３は帽子部材（可動部材）、４４は雌ねじ部、４５はピン部、４６はレバー部材、４９は支軸部である。
この実施形態２において、可動部材として帽子部材４３を被ったフィギア貯金箱である。
【００２４】
中空状本体４は、合成樹脂製の本体下部材４ａ及び本体上部材４ｂを合体して、全体として外観がフィギア形状をなすもので、可動部材として帽子部材４３を備える。
本体下部材４ａは、フィギア上体部を構成する略円柱状のもので、上部には、本体上部材４ｂとの合体部分に沿って形成したコイン投入口４１が開口し、このコイン投入口４１の両側に位置する腕部材４２が組み付けられている。
そして、本体上部材４ｂは、図７に示すように、顔部及び頭部を構成する略半球状のもので、この本体上部材４ｂには、可動部材として、帽子部材４３が組み付けられている。
また、本体下部材４ａの内部には、前述した実施形態１と同様の雌ねじ部４４が形成されている。
【００２５】
腕部材４２は、実施形態１と同様、前部左右に手４２ａを有する一体円弧形状で若干の弾性変形が可能な合成樹脂製のものであり、本体下部材４ａの後部中央上に形成したピン部４５が貫通して、本体上部材４ｂとの合体部分に沿って装着されている。この腕部材４２は、コイン投入口４１の両側に位置する左右の前端部４２ｂにコインＣが接触することで、弾性変形して外側に若干開くように動く。なお、実施形態において、手４２ａは腕部材４２とは別の色に着色されている。
【００２６】
そして、本体上部材４ｂには、その顔部及び頭部を覆う帽子部材４３が開閉可能に備えられている。
帽子部材４３は合成樹脂製で、鍔部４３ａを有するキャップタイプのものであり、本体上部材４ｂの後部中央に形成した開口部内において、支軸部４９を支点として鍔部４３ａ側が上下動するよう組み付けられている。
この帽子部材４３には、本体上部材４ｂの後部中央の開口部から下方に突出する垂下片４３ｂが一体に形成されている。
【００２７】
また、本体下部材４ａの上部には、実施形態１と同様、コイン投入口４１の中央部に位置するレバー部材４６が組み付けられている。
すなわち、本体下部材４ａの上面部に形成された開口部に、前面を平坦部４６ａに形成して上面をカム部４６ｂに形成したレバー部材４６が配設されている。レバー部材４６は合成樹脂製で、平坦部４６ａ及びカム部４６ｂが交差する角部の左右に突設した支軸部４６ｃを、本体下部材４ａの上面部に形成された軸受部に載せて支持されている。
このレバー部材４６は、コイン投入口４１の中央部に位置する平坦部４６ａにコインＣが接触して押されることで回動し、カム部４６ｂが帽子部材４３の垂下片４３ｂを徐々に押し上げていく。
【００２８】
以上のレバー部材４６を組み付けた本体下部材４ａの上部を、帽子部材４３が組み付けられた本体上部材４ｂの下部内に嵌め合わせて、実施形態１と同様、左右の合体用ボス部にビスを締め付けることで、図示例では、帽子部材４３を被ったフィギア形状をなす中空状本体４が構成される。
そして、中空状本体４には、実施形態１と同様、その雌ねじ部４４内に底体２及び底蓋３が組み付けられる。
【００２９】
以上の構成によるフィギア貯金箱は、図６に仮想線で示すように、コインＣをコイン投入口４１に投入すると、図７に示したように、フィギア上体部のコイン投入口４１の両側において、コインＣが前端部４２ｂに接触して腕部材４２が弾性変形し、左右の手４２ａが若干横に広がるように動くので、見て楽しめる。
同時に、コイン投入口４１内の中央に位置するレバー部材４６の平坦部４６ａにコインＣが接触して、レバー部材４６が支軸部４６ｃを支点に回動し、カム部４６ｂが上方に移動して、カム部４６ｂが接触する垂下片４３ｂが帽子部材４３の後側の支軸部４９を支点に回動する。すなわち、フィギア上体部の上において、コインＣの投入に連動して垂下片４３ｂを一体に有する帽子部材４３も前側の鍔部４３ａが持ち上げられるように動いて、略半球状の本体上部材４ｂによる顔が現れるので、見て楽しめる。
【００３０】
以上のフィギア貯金箱も、実施形態１と同様に、中空状本体４を雌ねじ部４４でペットボトルＰの飲み口部周囲の雄ねじ部にねじ込んで装着することで、コイン投入口４１を有するフィギア（中空状本体４）がペットボトルＰ上に一体化されたものとなる。従って、外観デザイン上、従来のようなペットボトル用キャップが存在せず、ペットボトルＰとフィギアとの一体感に優れた貯金箱を提供できるものとなる。
しかも、飲み口部が内径約３０ｍｍと広口タイプのペットボトルＰに対応したフィギア貯金箱なので、１円玉から５百円玉まで貯金できる。
また、コイン投入口４１を有するフィギア（中空状本体４）に、実施形態１と同様に、底体２及び底蓋３を装着すれば、フィギア単独でも貯金箱として使用できるものとなる。
【００３１】
（実施形態３）
図８は本発明を適用した実施形態３の構成を示すもので、前述した実施形態２と同様の外観がフィギア形状をなす中空状本体４、本体下部材４ａ、本体上部材４ｂ、コイン投入口４１、腕部材４２、帽子部材（可動部材）４３であって、５は蛇腹部材、６は台座部材である。
この実施形態３において、実施形態２のフィギア貯金箱を蛇腹部材５と組み合わせたものである。
【００３２】
すなわち、コイン投入口４１を有して、コインＣの投入時に手４２ａと帽子部材４３が動くフィギア（中空状本体４）の雌ねじ部４４に、ペットボトルＰや底体２の代わりに、合成樹脂製の蛇腹部材５の上部周囲に形成した雄ねじ部（図示省略）をねじ込んだものである。蛇腹部材５は合成樹脂製の台座部材６の上に一体化されている。
【００３３】
このように、蛇腹部材５上にフィギア貯金箱を装着すれば、投入したコインの量が多くなるにつれて、図８（ｂ）に示すように、蛇腹部材５を伸張させることで、貯金量を増やせるものとなる。
なお、蛇腹部材５及び台座部材６は、実施形態１のフィギア（中空状本体１）と組み合わせることも可能である。
【００３４】
ところで、以上の実施形態においては、フィギアとして犬がモチーフのキャラクタや帽子が動くキャラクタとしたが、本発明はこれに限定されるものではなく、他のキャラクタのフィギアであっても良い。
また、腕部材や可動部材の形状や、コイン投入に連動する可動部材の連動機構の構成等も任意であり、その他、具体的な細部構造等についても適宜に変更可能であることは勿論である。
【図面の簡単な説明】
【００３５】
【図１】本発明を適用した実施形態１の構成を示すもので、貯金箱単独の正面図である。
【図２】図１の貯金箱の本体、底体及び底蓋の分解斜視図である。
【図３】図１の貯金箱をペットボトルに装着した状態の正面図である。
【図４】図１の貯金箱の本体構成を示すもので、縦断正面図（ａ）と縦断側面図（ｂ）と本体下部材の平面図（ｃ）である。
【図５】コイン投入による作用を示すもので、図４と同様の縦断正面図（ａ）と縦断側面図（ｂ）と本体下部材の平面図（ｃ）である。
【図６】本発明を適用した実施形態２の構成を示すもので、貯金箱の本体構成を示す正面図（ａ）と縦断側面図（ｂ）と平面図（ｃ）と本体下部材の平面図（ｄ）である。
【図７】コイン投入による作用を示すもので、図６と同様の正面図（ａ）と縦断側面図（ｂ）と本体下部材の平面図（ｃ）である。
【図８】本発明を適用した実施形態３の構成を示すもので、貯金箱と蛇腹体の組み合わせを示した短縮状態の正面図（ａ）と伸張状態の正面図（ｂ）である。
【符号の説明】
【００３６】
１  外観がフィギア形状をなす中空状本体
１ａ  本体下部材
１ｂ  本体上部材
１０  脚部
１１  コイン投入口
１２  腕部材
１２ａ  手
１３  耳部材（可動部材）
１４  雌ねじ部
１５  ピン部
１６  レバー部材
１６ａ  平坦部
１６ｂ  カム部
１７  中枠部材
１８  駒部材
２  底体
３  底蓋
４  外観がフィギア形状をなす中空状本体
４ａ  本体下部材
４ｂ  本体上部材
４１  コイン投入口
４２  腕部材
４２ａ  手
４３  帽子部材（可動部材）
４３ａ  鍔部
４３ｂ  垂下片
４４  雌ねじ部
４５  ピン部
４６  レバー部材
４６ａ  平坦部
４６ｂ  カム部
４９  支軸部
５  蛇腹部材
６  台座部材
Ｂ１・Ｂ２  ビス
Ｃ  コイン
Ｐ  ペットボトル
【図１】
0004843300.tif 000002
【図２】
0004843300.tif 000003
【図３】
0004843300.tif 000004
【図４】
0004843300.tif 000005
【図５】
0004843300.tif 000006
【図６】
0004843300.tif 000007
【図７】
0004843300.tif 000008
【図８】
0004843300.tif 000009